(57)【要約】      （修正有）【課題】体内の老廃物を体外に直接排出することができる老廃物除去装置および老廃物除去方法を提供する。【解決手段】老廃物除去装置１に、人体の一部に取り付ける腕用電極２と、人体の他の一部を浸す食塩水１７を収容する液体収容容器１５と、前記液体収容容器１５内で前記食塩水１７に浸されて前記腕用電極２と対を成す人体通電用端子１３ａと、前記液体収容容器１５内で前記食塩水１７に浸されて該液体を電気分解する電気分解用陰極端子１３ｂ，１３ｄおよび電気分解用陽極端子１３ｃ，１３ｅと、これらの電極２，１３に電力供給する電源部４とを備えた。【選択図】図１
2008018112.tif 000002
【特許請求の範囲】
【請求項１】
人体の一部に取り付ける人体取付電極と、
人体の他の一部を浸す液体を収容する液体容器と、
前記液体容器内で前記液体に浸されて前記人体側電極と対を成す人体通電用電極と、
前記液体容器内で前記液体に浸されて該液体を電気分解する電気分解用電極と、
これらの電極に電力供給する電源とを備えた
老廃物除去装置。
【請求項２】
前記人体通電用電極と前記電気分解用電極の陽極とを同一素材により構成した
請求項１記載の老廃物除去装置。
【請求項３】
前記液体容器に収容する液体を食塩水とした
請求項１または２記載の老廃物除去装置。
【請求項４】
人体に通電するための人体通電用電極と液体を電気分解するための電気分解用電極とを液体容器に収容された液体に浸し、
人体の一部に前記人体通電用電極と対をなす人体取付電極を取り付け、
前記液体容器に収容された液体に人体の他の一部を浸し、
電源により前記各電極に電力供給して、
人体から前記液体内に老廃物を排出する
老廃物除去方法。
【発明の詳細な説明】
【技術分野】
【０００１】
この発明は、例えば人体内の老廃物を体外に排出させるような老廃物除去装置および老廃物除去方法に関する。
【背景技術】
【０００２】
従来、人体の営みとして、体内に蓄積する老廃物を排除し、組織を再生することが知られている。また、体内に蓄積する老廃物の量が人体の浄化再生能力を上回ると、組織が劣化し、老化や成人病の原因となることが知られている。
【０００３】
このような老廃物を除去する装置として、免疫力強化治療器が提案されている（特許文献１参照）。この免疫力強化治療器は、人体に電流を流すと共に、人体に磁力線を照射し、さらに振動波を人体に与えるものである。これにより、血行を促進して人体における新陳代謝を活発化させ、老廃物の速やかな除去が行われ免疫力を強化できるとされている。
【０００４】
しかし、上記免疫力強化治療器は、新陳代謝を活発化させることができるものの、老廃物を直接的に体外に排出できるものではなかった。
【特許文献１】特開２００４−３０５２９４号公報
【発明の開示】
【発明が解決しようとする課題】
【０００５】
この発明は、上述の問題に鑑み、体内の老廃物を体外に直接排出することができる老廃物除去装置および老廃物除去方法を提供することを目的とする。
【課題を解決するための手段】
【０００６】
この発明は、人体の一部に取り付ける人体取付電極と、人体の他の一部を浸す液体を収容する液体容器と、前記液体容器内で前記液体に浸されて前記人体側電極と対を成す人体通電用電極と、前記液体容器内で前記液体に浸されて該液体を電気分解する電気分解用電極と、これらの電極に電力供給する電源とを備えた老廃物除去装置であることを特徴とする。
【０００７】
またこの発明は、人体に通電するための人体通電用電極と液体を電気分解するための電気分解用電極とを液体容器に収容された液体に浸し、人体の一部に前記人体通電用電極と対をなす人体取付電極を取り付け、前記液体容器に収容された液体に人体の他の一部を浸し、電源により前記各電極に電力供給して、人体から前記液体内に老廃物を排出する老廃物除去方法であることを特徴とする。
【発明の効果】
【０００８】
この発明により、体内の老廃物を体外に直接排出することができる老廃物除去装置および老廃物除去方法を提供することができる。
【発明を実施するための最良の形態】
【０００９】
この発明の一実施形態を以下図面と共に説明する。  
図１は老廃物除去装置１の斜視図を示し、図２は老廃物除去装置１のブロック図を示す。
【００１０】
老廃物除去装置１は、利用者Ｍの腕Ａに取り付ける腕用電極２と、本体装置４と、液体収容容器１５内に設置される複数の容器内電極１３（１３ａ〜１３ｅ）と、これらを接続する接続ライン３，１１（１１ａ〜１１ｅ）で構成されている。
【００１１】
腕用電極２は、取り付けバンドの内側に陰極となる電極端子が設けられており、取り付けバンドを腕に巻きつけると電極端子が利用者の腕の皮膚に接触する。  
容器内電極１３は、人体通電用端子１３ａ、電気分解用陽極端子１３ｃ，１３ｅ、および電気分解用陰極端子１３ｂ，１３ｄで構成されている。人体通電用端子１３ａおよび電気分解用陽極端子１３ｃ，１３ｅは、銅または真鍮などの素材により構成するとよく、この実施形態では銅素材を使用している。電気分解用陰極端子１３ｂ，１３ｄは、アルミまたはステンレスなどの素材で構成するとよく、この実施形態ではアルミ素材を使用している。また、人体通電用端子１３ａおよび電気分解用陽極端子１３ｃ，１３ｅは同一素材で構成している。
【００１２】
液体収容容器１５は、正面、背面、両側面および底面に隙間がなく上面を開放した容器であり、内側に食塩水１７を収容している。液体収容容器１５の内側の液体収容部分の大きさは、電気分解用陽極端子１３ｃ，１３ｅおよび電気分解用陰極端子１３ｂ，１３ｄを収容した状態で上面の開口部から普通人が両足を入れられる程度の大きさに形成されている。また食塩水１７は、利用者Ｍの踝が充分浸かる程度の高さ、さらに好ましくは利用者Ｍの足首が充分浸かる程度の高さまで満たされている。
【００１３】
腕用電極２と人体通電用端子１３ａは、接続ライン３、本体装置４、および接続ライン１１ａにより接続されている。このため、本体装置４から供給される直流電流は、接続ライン１１ａから人体通電用端子１３ａに流れ、食塩水１７を介して利用者Ｍの足から腕Ａに流れ、この腕Ａに装着された腕用電極２から接続ライン３を介して本体装置４に流れる。
【００１４】
電気分解用陰極端子１３ｂと電気分解用陽極端子１３ｃは対になっており、接続ライン１１ｂ，１１ｃを介して本体装置４からの直流電流を受け取ると、食塩水１７の電気分解を行う。同様に、電気分解用陰極端子１３ｄと電気分解用陽極端子１３ｅは対になっており、接続ライン１１ｄ，１１ｅを介して本体装置４からの直流電流を受け取ると、食塩水１７の電気分解を行う。
【００１５】
本体装置４は、各電極２，１３（１３ａ〜１３ｅ）に直流電流を供給する装置である。供給する電流は、１．５Ａ（アンペア）〜２Ａの範囲であり、この実施形態では１．５Ａの電流を流している。また、この直流電流を供給する際の電圧は、１０Ｖ（ボルト）程度である。
【００１６】
図２は、本体装置４のブロック図を示す。本体装置４は、腕用電極２、人体通電用端子１３ａ、電気分解用陰極端子１３ｂ，１３ｄ、電気分解用陽極端子１３ｃ，１３ｅ、入力部２１、電流検知部２２、報知部２３、電源部２４、およびこれらを制御する制御部２０で構成されている。
【００１７】
入力部２１は、利用者による開始入力や終了入力などの入力を受け付け、受け付けた入力信号を制御部２０に送信する。  
電流検知部２２は、各電極２，１３に供給している電流の電流値を検知し、検知した検知信号を制御部２０に送信する。
【００１８】
報知部２３は、例えばスピーカや画像表示装置などで構成されており、制御部２０の制御信号に従って、正常終了や異常終了などの報知を行う。  
電源部２４は、各部に電力供給を行う。また、各電極２，１３に流す電流を１０Ｖ程で１．５Ａの直流電流とする整流機能および変圧機能を有している。
【００１９】
制御部２０は、各種制御を実行する。また、内部に有するタイマ機能により電流供給時間が一定時間（例えば３０分程度）を超えていないか判定する。また、電流検知部２２から受信した検知信号に基づいて、電流検知部２２で検知した電流値が予め設定された正常値を超えていないか判定する。
【００２０】
図３は、老廃物除去装置１が実行する老廃物除去動作のフローチャートを示す。  
老廃物除去装置１の制御部２０は、入力部２１から開始入力を受け付けるまで待機する（ステップＳ１：ＮＯ）。この開始入力前に、利用者Ｍ等により、液体収容容器１５内に充分な量の食塩水１７が満たされる。また、この食塩水１７に利用者Ｍが足を浸し、腕Ａに腕用電極２を装着する。
【００２１】
入力部２１で開始入力を受け付けると（ステップＳ１：ＹＥＳ）、制御部２０は、腕用電極２、人体通電用端子１３ａ、電気分解用陰極端子１３ｂ，１３ｄ、および電気分解用陽極端子１３ｃ，１３ｅへの電流供給を行う（ステップＳ２）。このとき供給する電流は、１０Ｖで１．５Ａの直流電流である。
【００２２】
制御部２０は、電流検知部２２から受信する検知信号に基づいて、各電極２，１３（１３ａ〜１３ｅ）に流している電流値が正常値の範囲内にあるか、例えば上限値である２Ａを超えているか否かを判定する（ステップＳ３）。
【００２３】
正常値の範囲外であれば（ステップＳ３：ＮＯ）、制御部２０は、腕用電極２、人体通電用端子１３ａ、電気分解用陰極端子１３ｂ，１３ｄ、および電気分解用陽極端子１３ｃ，１３ｅへの電流供給を停止し（ステップＳ４）、電流値異常により異常終了した旨を報知部２３により報知する（ステップＳ５）。
【００２４】
前記ステップＳ３で電流値が正常値の範囲内であれば（ステップＳ３：ＹＥＳ）、制御部２０は一定時間が経過するまで電流の供給を継続する（ステップＳ６：ＮＯ）。
【００２５】
一定時間が経過すると（ステップ６：ＹＥＳ）、制御部１０は、腕用電極２、人体通電用端子１３ａ、電気分解用陰極端子１３ｂ，１３ｄ、および電気分解用陽極端子１３ｃ，１３ｅへの電流供給を停止し（ステップＳ７）、一定時間経過により正常終了した旨を報知部２３により報知する（ステップＳ８）。
【００２６】
以上の構成および動作により、老廃物除去装置１は、利用者Ｍの体内の老廃物を体外の食塩水１７内に排出することができる。食塩水１７は、老廃物除去動作が行われることにより、利用者Ｍから排出された重金属などの成分が溶解し、当初の透明色から黒色に変色する。
【００２７】
利用者Ｍの足は食塩水１７に浸されているため、浸透圧の関係により、純粋な水を用いるよりも老廃物を効率よく排出することができる。  
また、食塩水１７に浸しているのがツボの集中する足であるため、体の他の部位を食塩水１７に浸すよりも効率よく老廃物を排出できる。  
また、食塩水１７に浸している足の表面の古い皮膚が食塩水１７中に溶解等し、肌の表面がつるつるになる。
【００２８】
また、一定時間が経過すると老廃物除去装置１が自動的に停止するため、利用者Ｍは、老廃物除去装置１を利用中に寝てしまったような場合でも、常に適切な時間内で利用することができる。
【００２９】
また、電流値が正常範囲から外れると老廃物除去装置１が自動的に停止するため、電流値が異常に高くなって腕用電極２や人体通電用端子１３ａから利用者Ｍが刺激を受けるといったことがなく、利用者Ｍは常に快適に利用することができる。
【００３０】
この発明の構成と、上述の実施形態との対応において、
この発明の人体取付電極は、実施形態の腕用電極２に対応し、
以下同様に、
人体通電用電極は、人体通電用端子１３ａに対応し、
電気分解用電極は、電気分解用陰極端子１３ｂ，１３ｄおよび電気分解用陽極端子１３ｃ，１３ｅに対応し、
電気分解用電極の陽極は、電気分解用陽極端子１３ｃ，１３ｅに対応し、
液体容器は、液体収容容器１５に対応し、
電源は、電源部２４に対応するも、
この発明は、上述の実施形態の構成のみに限定されるものではなく、多くの実施の形態を得ることができる。
【図面の簡単な説明】
【００３１】
【図１】老廃物除去装置の概略斜視図。
【図２】老廃物除去装置のブロック図。
【図３】老廃物除去装置が実行する老廃物除去動作のフローチャート。
【符号の説明】
【００３２】
１…老廃物除去装置、２…腕用電極、１３ａ…人体通電用端子、１３ｂ，１３ｄ…電気分解用陰極端子、１３ｃ，１３ｅ…電気分解用陽極端子、１５…液体収容容器、１７…食塩水、２４…電源部
【図１】
2008018112.tif 000003
【図２】
2008018112.tif 000004
【図３】
2008018112.tif 000005